(57)【特許請求の範囲】
【請求項１】
スクロールケースと、前記スクロールケースに内蔵されて駆動モータと連結され、ハブ及び前記ハブに一定間隔をおいて配置された多数個のブレードと、ハブの反対側で各ブレードの先端に共通付着されているシュラウドで構成されたターボファンを含んでなる窓型エアコンの送風ファンアセンブリにおいて、
前記スクロールケースの底面にはその直径がターボファンの外径を超過する陥没部と、該陥没部の一側に連続して深さが次第に浅くなり、且つ幅が次第に狭くなるくさび型の補助陥没部が形成されてなり、前記ターボファンが陥没部側に偏重位置されることによって、ターボファンのシュラウドとスクロールケースの吸入口間の流路が拡張され、且つ前記補助陥没部によりターボファンから吐出される空気の流動速度が速くなることを特徴とする窓型エアコンの送風ファンアセンブリ。
【請求項２】
前記陥没部は、その外周壁がスクロールケースの内部に向かって広がるように傾斜していることを特徴とする請求項１に記載の窓型エアコンの送風ファンアセンブリ。
【請求項３】
前記陥没部は、その先端と陥没部中心との距離がターボファン外径の１４０〜１６０％であることを特徴とする請求項１に記載の窓型エアコンの送風ファンアセンブリ。
【発明の詳細な説明】
【０００１】
【発明の属する技術分野】
本発明は送風ファンアセンブリに関するものであり、より詳細には窓型エアコンに適用される送風ファンアセンブリに関するものである。
【０００２】
【従来の技術】
一般に窓型エアコンは、図５に示されたように一つのケース１０内に冷媒を加圧する圧縮機１２と、前記圧縮機１２により加圧された冷媒を凝縮してその温度を低める凝縮器１４と、前記凝縮器１４により温度が低くなった冷媒を利用して熱交換作用を行なう蒸発器１６とを具備して構成された空気調和機である。
【０００３】
前記窓型エアコンは、ケース１０の内部空間が隔膜パネル１８を基準に室内部と室外部とに区分される。
室内部には前記蒸発器１６及び室内空気を蒸発器１６を経て循環させる送風ファンアセンブリ２０が装着されており、室外部には圧縮機１２と凝縮器１４及び室外空気を利用して前記凝縮器１４の冷却作用を行なう軸流ファン３０などが位置されている。
【０００４】
ここで、前記送風ファンアセンブリ２０は、図６に示されたように流路を形成するスクロールケース２２と、前記スクロールケース２２に内蔵されたターボファン２４とで構成されている。
前記スクロールケース２２の正面には図７、８に示されたように外気がその内部に流入するベルマウス形態の吸入口２２ａが構成されて、前記吸入口２２ａの一側には吐出口２２ｂが形成されている。
【０００５】
前記ターボファン２４は、駆動モータ４０と連結されており、ハブ２４１及び前記ハブ２４１に一定間隔を置いて配置された多数個のブレード２４２と、ハブ２４１の反対側で各ブレード２４２の先端に共通付着されているシュラウド２４３とで構成されている。
【０００６】
上述したような送風ファンアセンブリによるとターボファン２４の回転作動により室内の暑い空気が蒸発器１６を経た後、吸入口２２ａを通してスクロールケース２２内に冷却吸入され、吸入された空気がブレード２４２により加圧されて吐出口２２ｂを通してスクロールケース２２の外に排出されることによって室内の気温が適切に冷房調節される。
【０００７】
この時スクロールケース２２の外部に排出された冷気は前記シュラウド２４３によるスクロールケース２２内部定圧上昇効果により直ちにスクロールケース２２に再吸入されずに、遠距離に広まって出るようになっている。
蒸発器１６で暑い空気と接して温度が高まった冷媒は凝縮器１４を経る過程で軸流ファン３０の作動で室外部に流入した室外空気により再び冷却されて循環作用を続けるようになる。
【０００８】
一方、従来の窓型エアコンの送風ファンアセンブリには前記ターボファン２４の代りにシロッコファン（図示せず）が用いられることもある。前記シロッコファンは送風量が多いためにその大きさが小さくても良いという特性を有しているが、ターボファン２４と比較して同一送風量対比消費電力が大きいために作動効率が低いという短所も有している。
【０００９】
したがって、最近は送風ファンアセンブリにシロッコファンより効率が高いターボファン２４が主に用いられている。前記ターボファン２４はその体積が同一送風量のシロッコファンに比べて大きいためにターボファン２４を利用して効率的な送風作用を行なうためにはスクロールケース２２内の送風流路も余裕あるように確保されなければならない。
【００１０】
それゆえ、同一送風量のシロッコファンが適用されたエアコンに比べてターボファン２４が適用されたエアコンの大きさが大きいために上述したようにターボファン２４を含んだ送風ファンアセンブリはエアコンの小型化に妨害になるという問題点を有している。
【００１１】
さらに、シロッコファンが適用された送風ファンアセンブリに比べてスクロールケース２２の大きさを同一に維持した状態で効率的な送風作用のためにターボファン２４の回転速度を高める場合には駆動モータ４０の作動騷音が大きくなるという問題点も生じる。
【００１２】
【発明が解決しようとする課題】
本発明は前記のような従来の問題点を解決しようとして案出されたものであり、本発明の目的は、スクロールケースの構造上の流路が拡張されることによって全体的な体積拡大及びターボファンの回転速度増加なく効率的な送風作用が可能になる窓型エアコンの送風ファンアセンブリを提供することにある。
【００１３】
【課題を解決するための手段】
前記目的を達成するために提供される窓型エアコンの送風ファンアセンブリは、スクロールケースと、前記スクロールケースに内蔵されて駆動モータと連結され、ハブ及び前記ハブに一定間隔を置いて配置された多数個のブレードと、ハブの反対側で各ブレードの先端に共通付着されているシュラウドとで構成されたターボファンを含んでなる窓型エアコンの送風ファンアセンブリにおいて、前記スクロールケースの底面にはその直径がターボファンの外径を超過する陥没部と、該陥没部の一側に連続して深さが次第に浅くなり、且つ幅が次第に狭くなるくさび型の補助陥没部が形成されてなり、前記ターボファンが陥没部側に偏重位置されることによって、ターボファンのシュラウドとスクロールケースの吸入口間の流路が拡張され、且つ前記補助陥没部によりターボファンから吐出される空気の流動速度が速くなることを特徴として構成される。
【００１５】
【発明の実施の形態】
以下、本発明の実施例を添付された図１から図４までを参照しながら詳細に説明する。なお、本発明の内容中従来の構成と同一部分に対しては同一符号を付与した。
まず、本発明の実施例による窓型エアコンの送風ファンアセンブリは、図１に示されたようにスクロールケース２３と、前記スクロールケース２３に内蔵されたターボファン２４とで構成される。
【００１６】
前記スクロールケース２３は、図２に示されたようにその底面に陥没部２３１が形成された形態で構成されて、前記ターボファン２４はスクロールケース２３の陥没部２３１側に偏重位置されることによってターボファン２４のシュラウド２４３と吸入口２３ａ間の間隔が広くなる。（図３参照）
【００１７】
前記陥没部２３１は、図３及び図４に示されたようにその深さＨがスクロールケース幅Ｗの１０〜２０％、直径Ｄｃがターボファン外径（各ブレード外側端の連結線）Ｄの１００〜１１０％、突出角度（α）が３０〜４５゜である構造で構成される。
【００１８】
前記スクロールケース２３の陥没部２３１の一側にはターボファン２４から吐出される空気の流動速度が速くなるように陥没部２３１と連通される補助陥没部２３２が形成される。
ここで、前記補助陥没部２３２は、その深さが次第に浅くなり、幅が狭くなるくさび型であり、その端点と陥没部２３１中心との距離Ｌがターボファン外径Ｄの１４０〜１６０％である構造で構成される。
【００１９】
上述したように構成された本発明の実施例による送風ファンアセンブリによるとスクロールケース２３が従来のスクロールケース２２（図７参照）に比べてその大きさが全体的に増加することなく、ターボファン２４のみスクロールケース２３の後方に位置移動した状態になる。
【００２０】
したがって、ターボファンのシュラウド２４３とスクロールケース２３との吸入口２３ａ間の間隔が広まるようになることによって吸入空気量が増加するようになる。
また、陥没部２３１の一側に形成された補助陥没部２３２を通じては、ターボファン２４を経て吐出口２３ｂ側に向く空気の流動がより円滑になるために増加された吸入空気量に対応して排出空気量も増加するようになる。
【００２１】
すなわち、このような本実施例による送風ファンアセンブリによると従来の送風ファンアセンブリと比較してターボファン２４の回転速度が減少しても送風量が同一に維持されるために、ターボファン２４の回転速度を減らすことによって駆動モータ４０の作動騷音を減少させることができる。
【００２２】
【発明の効果】
本発明による窓型エアコンの送風ファンアセンブリによると第一、スクロールケースの構造及びターボファンの装着位置上、全体的な体積拡大なく送風量が増加するようになり、第二、従来の送風ファンアセンブリに比べて送風量が同一な場合回転速度が低くなることによって駆動モータの作動騷音が減少されるという利点がある。
【図面の簡単な説明】
【図１】本発明の実施例による送風ファンアセンブリの構造を示した正面斜視図である。
【図２】本発明の実施例による送風ファンアセンブリの構造を示した後面斜視図である。
【図３】本発明の実施例による送風ファンアセンブリの構造を示した図１の水平断面図である。
【図４】本発明の実施例による送風ファンアセンブリの構造を示した図１の垂直断面図である。
【図５】一般的な窓型エアコンの構造を示した概略的な断面図である。
【図６】一般的な窓型エアコンに適用される従来の送風ファンアセンブリの構造を示した斜視図である。
【図７】従来の送風ファンアセンブリの構造を示した図６の水平断面図である。
【図８】従来の送風ファンアセンブリの構造を示した図６の垂直断面図である。
【符号の説明】
１０…ケース
１２…圧縮機
１４…凝縮器
１６…蒸発器
１８…隔膜パネル
２０…送風ファンアセンブリ
２３…スクロールケース
２３ａ…吸入口
２３ｂ…吐出口
２３１…陥没部
２３２…補助陥没部
２４…ターボファン
２４１…ハブ
２４２…ブレード
２４３…シュラウド
３０…軸流ファン
４０…駆動モータ
【図１】
0003588327.tif 000002
【図２】
0003588327.tif 000003
【図３】
0003588327.tif 000004
【図４】
0003588327.tif 000005
【図５】
0003588327.tif 000006
【図６】
0003588327.tif 000007
【図７】
0003588327.tif 000008
【図８】
0003588327.tif 000009